(57)【特許請求の範囲】
【請求項１】
細帯状覆いが、生地から袋に折り返して形成され、細帯状芯材が、その覆いよりも狭い幅に形成されてその覆いに入れられ、そして、その覆いおよび芯材が、シート面にリクライニング・デバイスのアームを露呈するトリム・カバーの細長い開口の両側縁のそれぞれに共縫いされてその覆いの折返し先端が互いに突き合わせられるところのリクライニング・シート。
【請求項２】
細帯状覆いが、生地から袋に折り返して形成され、細帯状芯材が、その覆いよりも狭い幅に形成されてその覆いに入れられ、その覆いが、シート面にリクライニング・デバイスのアームを露呈するトリム・カバーの細長い開口の両側縁のそれぞれに共縫いされてその覆いの折返し先端が互いに突き合わせられ、そして、その覆いおよび芯材が両端をその細長い開口の両端縁のそれぞれに共縫いされるところのリクライニング・シート。
【発明の詳細な説明】
【０００１】
【発明の関係する分野】
この発明は、自動車、例えば、ワゴンやバンに使用されるリクライニング・シートに関する。
【０００２】
【背景技術】
通常、ワゴンに使用されるベンチ・タイプのリクライニング・シートでは、細長い開口がシート・クッションおよびシート・バックのそれぞれの左右に継ぎ合わせ可能に向かい合って開口され、そして、リクライニング・デバイスのアームがシート面、すなわち、着座面、背もたれ面に露呈されるので、そのシート・クッションおよびシート・バックのそれぞれにおいてウェビングがトリム・カバーの細長い開口の両側縁のそれぞれに共縫いされてその細長い開口を覆い、そして、見映えが図られた。
【０００３】
ところが、そのリクライニング・アームはその開口全域にわたって移動されるので、そのウェビングがそのアームでめくれ、それが長期間繰り返されると、そのウェビングは自身の剛性によって永久変形され、そして、そのウェビングにしわや捩れが発生して見映えが悪くなる。さらには、その永久変形がひどくなると、そのリクライニング・デバイスが見えてしまう不具合が生ずる。
【０００４】
【発明の課題】
この発明の課題は、シートに開口されてリクライニング・デバイスのアームをシート面に露呈させながら移動を許す細長い開口を閉じるところの覆いがそのアームによる永久変形を未然に回避でき、そして、見映えを向上してその見映えを長期間確保するところのリクライニング・シートの提供にある。
【０００５】
【課題に相応する手段およびそれの作用】
この発明は、細帯状覆いが、生地から袋に折り返して形成され、細帯状芯材が、その覆いよりも狭い幅に形成されてその覆いに入れられ、そして、その覆いおよび芯材が、シート面にリクライニング・デバイスのアームを露呈するトリム・カバーの細長い開口の両側縁のそれぞれに共縫いされてその覆いの折返し先端が互いに突き合わせられ、そして、その芯材によってその覆いが自身の柔軟性および復元性を先端に確保してその覆いのその先端に生じる永久変形を未然に回避する。
【０００６】
また、この発明は、細帯状覆いが、生地から袋に折り返して形成され、細帯状芯材が、その覆いよりも狭い幅に形成されてその覆いに入れられ、その覆いが、シート面にリクライニング・デバイスのアームを露呈するトリム・カバーの細長い開口の両側縁のそれぞれに共縫いされてその覆いの折返し先端が互いに突き合わせられ、そして、その覆いおよび芯材が両端をその細長い開口の両端縁のそれぞれに共縫いされ、そして、その芯材の捩れ剛性を利用してその覆いに復元性が確保され、そして、その覆いが先端に生じる永久変形を未然に回避する。
【０００７】
【具体例の説明】
以下、特定されて図示された具体例に基づいて、この発明のリクライニング・シートを説明するに、図１ないし図４は、ワゴンのセカンド・シートに活用されるこの発明のリクライニング・シートの具体例１０を示す。このリクライニング・シート１０では、シート・バック１２が左右のリクライニング・デバイス１３，１３でシート・クッション１１に連結されてベンチ・タイプに組み立てられ、そして、細長い開口２０，２１および２２，２３がそのシート・クッション１１およびシート・バック１２のそれぞれの左右に継ぎ合わせ可能に向かい合って開口され、そして、そのリクライニング・デバイス１３，１３のアーム２４，２４がその細長い開口２０，２１および２２，２３からシート面１８，１９に露呈されてその細長い開口２０，２１および２２，２３の開口全域にわたって移動可能にされる。勿論、その細長い開口２０は、そのシート・クッション１１のパッド１４の左右に開口され、その細長い開口２１は、そのパッド１４のその細長い開口２０に合わせられてそのシート・クッション１１のトリム・カバー１５の左右に開口され、その細長い開口２２は、そのパッド１４のその細長い開口２０に継ぎ合わせ可能に向かい合ってそのシート・バック１２のパッド１６の左右に開口され、そして、その細長い開口２３は、そのパッド１６のその細長い開口２２に合わせられ、そのトリム・カバー１５のその細長い開口２１に継ぎ合わせ可能に向かい合ってそのシート・バック１２のトリム・カバー１７の左右に開口される。また、そのシート面１８はそのシート・クッション１１の表面であり、そして、そのシート面１９はそのシート・バック１２の背もたれ面である。
【０００８】
そのように、このリクライニング・シート１０は、そのリクライニング・デバイス１３，１３のそのアーム２４，２４がその細長い開口２０，２１および２２，２３からそのシート面１８，１９に露呈され、そして、その細長い開口２０，２１および２２，２３に、具体的には、その細長い開口２１，２３に一対のブラインド２５，２５を突き合わせ状態に縫い付けてその細長い開口２１，２３に目隠し処理を施している。
【０００９】
その一対のブラインド２５，２５は細帯状覆い２６，２６および細帯状芯材２７，２７から組み合わせられ、そして、そのシート・クッション１１のそのトリム・カバー１５のその細長い開口２１，２１にも、また、そのシート・バック１２のそのトリム・カバー１７のその細長い開口２３，２３にも同じく縫い付けられるので、そのシート・クッション１１の左側に開口されるその細長い開口２１においてその一対のブラインド２５，２５を説明する。
【００１０】
その一対のブラインド２５，２５では、その細帯状覆い２６，２６が、表皮材料の生地から袋に折り返して形成され、また、その細帯状芯材２７，２７が、その覆い２６，２６よりも狭い幅に形成されてその覆い２６，２６に入れられ、さらに、その覆い２６，２６および芯材２７，２７が、その表面１８にそのリクライニング・デバイス１３のアーム２４を露呈するそのトリム・カバー１５のその細長い開口２１の両側縁のそれぞれに共縫いされてその覆い２６，２６の折返し先端２８，２８が互いに突き合わせられる。
【００１１】
したがって、その覆い２６，２６自身の柔軟性および復元性がその芯材２７，２７によってその覆い２６，２６のその折返し先端２８，２８に確保され、そして、そのリクライニング・デバイス１３のそのアーム２４がその細長い開口２０，２１に移動されると、その一対のブラインド２５，２５では、その覆い２６，２６のその折返し先端２８，２８のみが円滑にめくれ、そして、そのアーム２４の通過後、その覆い２６，２６のその折返し先端２８，２８の元の突き合わせ状態に円滑に戻る。そのリクライニング・シート１０が長期間にわたって使用されてもその折返し先端２８，２８が永久変形されずに見映えが向上され、そして、その見映えが長期間確保される。
【００１２】
図５および図６は、ワゴンのセカンド・シートに活用されるこの発明のリクライニング・シートの具体例３０を部分的に示す。そのリクライニング・シート３０は、シート・クッション１１の右側後方部分で示す。このリクライニング・シート３０では、リクライニング・デバイスのために細長い開口２０がそのシート・クッション１１のパッド１４に開口され、また、細長い開口２１がそのパッド１４のその細長い開口２０に合わせられてそのシート・クッション１１のトリム・カバー１５にも開口され、そして、一対のブラインド３１，３１がその細長い開口２１に突き合わせ状態で縫い付けられてその細長い開口２１に目隠し処理を施している。
【００１３】
その一対のブラインド３１，３１は細帯状覆い３２，３２および細帯状芯材３３，３３から組み合わせられる。さらに具体的に述べると、その一対のブラインド３１，３１では、その細帯状覆い３２，３２が、表皮材料の生地から袋に折返して形成され、また、その細帯状芯材３３，３３が、その覆い３２，３２よりも狭い幅に形成されてその覆い３２，３２に入れられ、さらに、その覆い３２，３２が、その表面１８にそのリクライニング・デバイスのアームを露呈するそのトリム・カバー１５のその細長い開口２１の両側縁のそれぞれに共縫いされてその覆い３２，３２の折返し先端３４，３４が互いに突き合わせられ、またさらに、その覆い３２，３２および芯材３３，３３が、両端をその細長い開口２１の両側縁のそれぞれに共縫いされる。
【００１４】
したがって、その芯材３３，３３の捩れ剛性を利用してその覆い３２，３２に復元性が確保され、そして、そのリクライニング・デバイスのそのアームがその細長い開口２０，２１に移動されると、その一対のブラインド３１，３１では、その覆い３２，３２および芯材３３，３３が円滑にめくれ、そして、そのアームの通過後、その覆い３２，３２および芯材３３，３３は元の突き合わせ状態に円滑に戻る。そのリクライニング・シート３０が長期間にわたって使用されてもその覆い３２，３２のその折返し先端３４，３４が永久変形されずに見映えが向上され、そして、その見映えが長期間確保される。
【００１５】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【００１６】
【発明の便益】
上述から理解されるように、この発明のリクライニング・シートは、細帯状覆いが、生地から袋に折り返して形成され、細帯状芯材が、その覆いよりも狭い幅に形成されてその覆いに入れられ、そして、その覆いおよび芯材が、シート面にリクライニング・デバイスのアームを露呈するトリム・カバーの細長い開口の両側縁のそれぞれに共縫いされてその覆いの折返し先端が互いに突き合わせられるので、この発明のリクライニング・シートでは、その覆いの柔軟性および復元性が、その芯材によってその覆いの折返し先端に確保され、そのリクライニング・デバイスによってその覆いのその折返し先端に生じる永久変形が未然に回避され、そして、見映えが向上されてその見映えが長期間確保され、その結果ベンチ・タイプのリクライニング・シートにとって非常に有用で実用的である。
【００１７】
また、この発明のリクライニング・シートは、細帯状覆いが、生地から袋に折り返して形成され、細帯状芯材が、その覆いよりも狭い幅に形成されてその覆いに入れられ、その覆いが、シート面にリクライニング・デバイスのアームを露呈するトリム・カバーの細長い開口の両側縁のそれぞれに共縫いされてその覆いの折返し先端が互いに突き合わせられ、そして、その覆いおよび芯材が両端をその細長い開口の両端縁のそれぞれに共縫いされるので、この発明のリクライニング・シートでは、その芯材の捩れ剛性を利用してその覆いに復元性が確保され、そのリクライニング・デバイスによってその覆いに生じる永久変形が未然に回避され、そして、見映えが向上されてその見映えが長期間確保され、その結果、ベンチ・タイプのリクライニング・シートにとって非常に有用で実用的である。
【図面の簡単な説明】
【図１】ワゴンのセカンド・シートに活用されるこの発明のリクライニング・シートの具体例を示した斜視図である。
【図２】図１に示されたそのリクライニング・シートにおいてシート・クッションを部分的に示した部分斜視図である。
【図３】図１の３−３線に沿って示した断面図である。
【図４】リクライニング・デバイスのアームに関係して図１の３−３線に沿って示した断面図である。
【図５】ワゴンのセカンド・シートに活用されるこの発明のリクライニング・シートの具体例を部分的に示した部分斜視図である。
【図６】図５の６−６線に沿って示した断面図である。
【符号の説明】
１１    シート・クッション
１２    シート・バック
１３    リクライニング・デバイス
１４    パッド
１５    トリム・カバー
１６    パッド
１７    トリム・カバー
２０    細長い開口
２１    細長い開口
２２    細長い開口
２３    細長い開口
２５    ブラインド
２６    細帯状覆い
２７    細帯状芯材
２８    折返し先端
【図１】
0003573881.tif 000002
【図２】
0003573881.tif 000003
【図３】
0003573881.tif 000004
【図４】
0003573881.tif 000005
【図５】
0003573881.tif 000006
【図６】
0003573881.tif 000007